(57)【要約】【課題】ＵＳＢポート，カードリーダ，電源延長コンセント，扇風機，ワイヤレスネットワークトランスフォーマ，ＬＡＮ ＨＵＢネットワーク集線器，ＡＤＳＬアクセスルータ，ネットワーク用ビデオカメラの電子製品と一体化したコストを抑えた実用的な多機能コードリールの構造を提供する。【解決手段】双方向型のコードリール外殻１，４を設け、他のコードリール，コンピュータの連結ポート，カードリーダ，電源延長コンセント，扇風機，ワイヤレスネットワークトランスミッタ，ネットワーク用ビデオカメラ等を代表とする電子製品を一体化すると同時に、該外殻１，４内部にはバネ５、並びに下外殻４底部には弾力嵌合部７を設けることでボタンを設けなくともケーブルを引き出したり収納する機能を具有し、且つ該外殻上に設けたボルト上に吸盤を設置することで本考案全体をガラス板等に吸着させることができるようにした多機能コードリールである。【選択図】    図１
0003103040.tif 000002
【実用新案登録請求の範囲】
【請求項１】
上外殻、嵌合蓋、回転盤、下外殻、バネ、信号及び又は電源ケーブル、弾力嵌合部より構成される多機能コードリールの構造において、
コードを巻く装置のメインとなる該下外殻には、該上外殻のＵＳＢポート，カードリーダ，電源延長コンセント，扇風機，ワイヤレスネットワークトランスフォーマ，ＬＡＮ ＨＵＢネットワーク集線器，ＡＤＳＬアクセスルータ，ネットワーク用ビデオカメラの電子製品の何れか、又は、これらの電子製品が組み合わされて一体となることを特徴とする多機能コードリールの構造。
【請求項２】
前記下外殻外囲上には信号及び又は電源ケーブル引き出し孔を設け、該上外殻には回路板を固定し、該回路板外縁には一つ以上のＵＳＢ等の連結ポート或いは電源入力端を設けることを特徴とする請求項１記載の多機能コードリールの構造。
【請求項３】
前記回転盤中には凹型槽を設け、該凹型槽内部にはバネを設置し、前記信号及び又は電源ケーブルを該凹型槽背面の突出した部分外囲に巻きつけ、該信号、及び又は電源ケーブルの一端は該下外殻の引き出し孔より引き出し、且つ該ケーブルの末端にはＵＳＢ等の連結ポートが設けられ、且つもう一端は該回転盤の溝を穿設し、該上外殻の回路板に連結し、該回転盤中の凹型槽外縁上には対称を成したフックを設け、該フックの片側には対称を成した傾斜付き嵌合ブロックを設けることを特徴とする請求項１記載の多機能コードリールの構造。
【請求項４】
前記ＵＳＢポート及びこれに対応するＵＳＢプラグを、ＰＳ２や通信規格ＩＥＥＥ１３９４或いはＲＪ４５等のコンピュータ或いは通信用の相互に対応する連結ポートとプラグに替えたものとすることを特徴とする請求項１記載の多機能コードリールの構造。
【請求項５】
前記上外殻中の回路板上にはカードリーダが設けられることを特徴とする請求項１記載の多機能コードリールの構造。
【請求項６】
前記上外殻中の回路板上には一般の直流或いは交流電流を電源とする電源コンセントを設け、該信号及び又は電源ケーブルは平たい形状を呈した偏状電源ケーブルに替えられると同時にその末端にはプラグが設けられることを特徴とする請求項１記載の多機能コードリールの構造。
【請求項７】
前記上外殻を用いず、該下外殻上には扇風機を設置し、且つ該信号及び又は電源ケーブルの一端は該扇風機のモータと連結されることを特徴とする請求項１記載の多機能コードリールの構造。
【請求項８】
前記上外殻中の回路板上にはワイヤレスネットワークトランスミッタ或いはワイヤレスネットワーク集線器、若しくはブロードバンドアクセスルータ等が設置され、コンピュータによる通信や伝送設備を更に便利にすることを特徴とする請求項１記載の多機能コードリールの構造。
【請求項９】
前記上外殻中の回路板上にはネットワーク用ビデオカメラを設けることを特徴とする請求項１記載の多機能コードリールの構造。
【請求項１０】
前記下外殻を二つ設け、該二つの下外殻を一体にし、一本の信号及び又は電源ケーブルを利用し、それぞれ独自で双方向に引っ張り出したり収納するタイプのコードリールであることを特徴とする請求項１記載の多機能コードリールの構造。
【請求項１１】
前記下外殻内の底部上には凹型槽を設け、該凹型槽内部には弾力嵌合部を設け、該弾力嵌合部の片側には嵌合槽を設け、該弾力嵌合部上には更に楕円形の孔と方形の孔を設け、該孔にはスプロケットを穿設し、更に該スプロケット上には孔を設け、該孔の下方には棒形凸ブロックを設けることにより、前記信号及び又は電源ケーブルを引き出すときに該回転盤が回転し、該フックが該スプロケットを回転させることから該スプロケットの棒形凸ブロックが水平状を呈するとき、該弾力嵌合部が後退し、該回転盤の凹型槽の傾斜付き嵌合ブロックが該弾力嵌合部片側の嵌合槽と嵌合して該回転盤の回転を止め、該信号及び又は電源ケーブルがストップして回収されない状態となり、使用者が再度該信号及び又は電源ケーブルを軽く引っ張ると該スプロケットが９０度回転し、該棒形凸ブロックが直立状を呈し、該棒形凸ブロックの至端が該方形の孔前方を圧制して該弾力嵌合部を前進させ、該弾力嵌合部の嵌合槽が該回転盤の傾斜付き嵌合ブロックより外れるため、該回転盤のバネの張力によって該信号及び又は電源ケーブルが該外殻内にて巻き込まれることにより、ボタンを設けなくとも該信号及び又は電源ケーブルの引き出し及び回収をコントロールする機能を具有することを特徴とする請求項１記載の多機能コードリールの構造。
【請求項１２】
前記下外殻外縁中央には必要に応じて嵌合棒を設け、該嵌合棒中心軸内には螺旋付きホールを設け、ゴム材質或いは磁石による吸盤に設けたボルトを該螺旋付きホールに螺合すことにより、該コードリールをガラスや金属板上に吸着させることを特徴とする多機能コードリールの構造。
【請求項１３】
前記信号及び又は電源ケーブル上には、使用者が簡単に長さを測定することのできるよう目盛を設けることを特徴とする請求項１記載の多機能コードリールの構造。
【請求項１４】
前記コントロール部分においては、前記弾力嵌合部を省き、スプロケット腹側に設けた傾斜付き弾力ブロック及び外縁凸ブロックに加え、該傾斜付き弾力ブロックと対称を成した傾斜付き凹型槽を具有する下外殻、並びに下側には同様に該外縁凸ブロックと対称を成した傾斜付きフックを具有する回転盤を合わせることにより、同様にしてボタンを設けなくとも前記信号及び又は電源ケーブルの引き出し及び回収をコントロールする機能を具有することを特徴とする請求項１記載の多機能コードリールの構造。
【請求項１５】
前記コントロール部分において、前記スプロケットの体積を更に大きくすると同時にその形状を楕円状に変えることにより、前記弾力嵌合部の前後異動をコントロールし、同様にして該対称を成す回転盤と下外殻により、該回転盤の傾斜付き嵌合ブロックを該弾力嵌合部後退時に前記嵌合槽に嵌合することで、ボタンを設けなくとも前記信号及び又は電源ケーブルの引き出し及び回収をコントロールする機能を具有することを特徴とする請求項１記載の多機能コードリールの構造。
【考案の詳細な説明】
【技術分野】
【０００１】
本考案は多機能コードリールの構造に関し、特に双方向型のコードリールに加え、ＵＳＢ、ＰＳ２、ＩＥＥＥ１３９４、ＲＪ４５等の連結用ポート、並びにカードリーダや電源延長コンセント、扇風機、ワイヤレスネットワークトランスミッタ、ネットワーク用ビデオカメラなどの電子製品を一体化し、且つ下外殻底部の弾力嵌合部によりボタン無しでケーブルの引き出し及び収納ができる多機能コードリールの構造に関わる。
【背景技術】
【０００２】
コンピュータの普及に伴いネットワークの利用が重要になっている現在、メインとなるコンピュータとそれに関わる周辺設備や携帯型のコンピュータ間の関係が益々複雑化している。
上述のようなメインとなるコンピュータに関わる周辺設備などの例としては、プリンタやデジタルカメラなど日常極頻繁に使用される機器が挙げられるが、これらは皆電源を供給したりデータの伝送を行ったりすべく、特にＵＳＢやＩＥＥＥ１３９４、ＰＳ２、ＲＪ４５等を規格とした連結ポートやドック或いはコネクタを利用し、メインとなるコンピュータとの連結を図るが、その間を結ぶのに必要となるのが各種信号及び電源ケーブルである。
こういったケーブルをコンパクトに収容する上で便利なのがコードリールであり、例えば、下記の特許文献等に開示されているように既に広く使用されているが、従来のコードリールにおいて更に詳しく説明すると、コードリールの外殻内には渦巻きバネが設けられていることでケーブルを該外殻内部に巻いて収容するものであるが、構造自体はボタンを押すことにより自動で巻き込むことのできるメジャーの構造に似て非常に簡単且つ安価なものとなっている。
【特許文献１】特開２０００−６７９８４号公報
【特許文献２】特開２００３−２７１４６３号公報
【特許文献３】ＵＳＰ１０，６５８２９号公報
【特許文献４】ドイツ公開特許第２０３１５３３１.６号公報
【特許文献５】台湾特許０９２２１５４４５号公報
【特許文献６】中国特許０３２０９０２４．２号公報
【考案の開示】
【考案が解決しようとする課題】
【０００３】
しかし、上述のような従来のコードリールにおける欠点として、用途がコードを巻いたり引っ張り出すだけの単純な機能のみであり、実用性に欠けており、そこでコストを抑えつつ、更なる実用化を図るべく、基本となるコードリールの外殻に加え、吸盤などの設置によりガラス板や金属板に吸着でき、且つ他のコードリール或いはコンピュータの連結ポートやコネクタ、カードリーダや扇風機、ワイヤレスネットワーク装置やその他の電子製品と連結させることのできる本考案の多機能コードリールの構造を提供する。
【課題を解決するための手段】
【０００４】
本考案は、双方向型のコードリール外殻を設け、これに他のコードリール，コンピュータの連結ポート，カードリーダ，電源延長コンセント，扇風機，ワイヤレスネットワークトランスミッタ，ネットワーク用ビデオカメラ等を代表とする電子製品を一体化すると同時に該外殻内部にはバネ、並びに下外殻底部には弾力嵌合部を設けることでボタンを設けなくともケーブルを引き出したり収納する機能を具有し、且つ該外殻上に設けたボルト上に吸盤を設置することで本考案をガラス板等に吸着させることができるようにする。
【０００５】
すなわち、上記課題を解決するために、請求項１の考案は、上外殻、嵌合蓋、回転盤、下外殻、バネ、信号及び又は電源ケーブル、弾力嵌合部より構成される多機能コードリールの構造において、コードを巻く装置のメインとなる該下外殻には、該上外殻のＵＳＢポート，カードリーダ，電源延長コンセント，扇風機，ワイヤレスネットワークトランスフォーマ，ＬＡＮ ＨＵＢネットワーク集線器，ＡＤＳＬアクセスルータ，ネットワーク用ビデオカメラの電子製品の何れか、又は、これらの電子製品が組み合わされて一体となることを特徴とする多機能コードリールの構造である。
請求項２の考案は、前記下外殻外囲上には信号及び又は電源ケーブル引き出し孔を設け、該上外殻には回路板を固定し、該回路板外縁には一つ以上のＵＳＢ等の連結ポート或いは電源入力端を設けることを特徴とする請求項１記載の多機能コードリールの構造である。
請求項３の考案は、前記回転盤中には凹型槽を設け、該凹型槽内部にはバネを設置し、前記信号及び又は電源ケーブルを該凹型槽背面の突出した部分外囲に巻きつけ、該信号、及び又は電源ケーブルの一端は該下外殻の引き出し孔より引き出し、且つ該ケーブルの末端にはＵＳＢ等の連結ポートが設けられ、且つもう一端は該回転盤の溝を穿設し、該上外殻の回路板に連結し、該回転盤中の凹型槽外縁上には対称を成したフックを設け、該フックの片側には対称を成した傾斜付き嵌合ブロックを設けることを特徴とする請求項１記載の多機能コードリールの構造である。
請求項４の考案は、前記ＵＳＢポート及びこれに対応するＵＳＢプラグを、ＰＳ２や通信規格ＩＥＥＥ１３９４或いはＲＪ４５等のコンピュータ或いは通信用の相互に対応する連結ポートとプラグに替えたものとすることを特徴とする請求項１記載の多機能コードリールの構造である。
請求項５の考案は、前記上外殻中の回路板上にはカードリーダが設けられることを特徴とする請求項１記載の多機能コードリールの構造。
請求項６の考案は、前記上外殻中の回路板上には一般の直流或いは交流電流を電源とする電源コンセントを設け、該信号及び又は電源ケーブルは平たい形状を呈した偏状電源ケーブルに替えられると同時にその末端にはプラグが設けられることを特徴とする請求項１記載の多機能コードリールの構造である。
請求項７の考案は、前記上外殻を用いず、該下外殻上には扇風機を設置し、且つ該信号及び又は電源ケーブルの一端は該扇風機のモータと連結されることを特徴とする請求項１記載の多機能コードリールの構造である。
請求項８の考案は、前記上外殻中の回路板上にはワイヤレスネットワークトランスミッタ或いはワイヤレスネットワーク集線器、若しくはブロードバンドアクセスルータ等が設置され、コンピュータによる通信や伝送設備を更に便利にすることを特徴とする請求項１記載の多機能コードリールの構造である。
請求項９の考案は、前記上外殻中の回路板上にはネットワーク用ビデオカメラを設けることを特徴とする請求項１記載の多機能コードリールの構造である。
請求項１０の考案は、前記下外殻を二つ設け、該二つの下外殻を一体にし、一本の信号及び又は電源ケーブルを利用し、それぞれ独自で双方向に引っ張り出したり収納するタイプのコードリールであることを特徴とする請求項１記載の多機能コードリールの構造である。
【０００６】
請求項１１の考案は、前記下外殻内の底部上には凹型槽を設け、該凹型槽内部には弾力嵌合部を設け、該弾力嵌合部の片側には嵌合槽を設け、該弾力嵌合部上には更に楕円形の孔と方形の孔を設け、該孔にはスプロケットを穿設し、更に該スプロケット上には孔を設け、該孔の下方には棒形凸ブロックを設けることにより、前記信号及び又は電源ケーブルを引き出すときに該回転盤が回転し、該フックが該スプロケットを回転させることから該スプロケットの棒形凸ブロックが水平状を呈するとき、該弾力嵌合部が後退し、該回転盤の凹型槽の傾斜付き嵌合ブロックが該弾力嵌合部片側の嵌合槽と嵌合して該回転盤の回転を止め、該信号及び又は電源ケーブルがストップして回収されない状態となり、使用者が再度該信号電源ケーブルを軽く引っ張ると該スプロケットが９０度回転し、該棒形凸ブロックが直立状を呈し、該棒形凸ブロックの至端が該方形の孔前方を圧制して該弾力嵌合部を前進させ、該弾力嵌合部の嵌合槽が該回転盤の傾斜付き嵌合ブロックより外れるため、該回転盤のバネの張力によって該信号及び又は電源ケーブルが該外殻内にて巻き込まれることにより、ボタンを設けなくとも該信号及び又は電源ケーブルの引き出し及び回収をコントロールする機能を具有することを特徴とする請求項１記載の多機能コードリールの構造。
請求項１２の考案は、前記下外殻外縁中央には必要に応じて嵌合棒を設け、該嵌合棒中心軸内には螺旋付きホールを設け、ゴム材質或いは磁石による吸盤に設けたボルトを該螺旋付きホールに螺合すことにより、該コードリールをガラスや金属板上に吸着させることを特徴とする多機能コードリールの構造である。
請求項１３の考案は、前記信号及び又は電源ケーブル上には、使用者が簡単に長さを測定することのできるよう目盛を設けることを特徴とする請求項１記載の多機能コードリールの構造である。
請求項１４の考案は、前記コントロール部分においては、前記弾力嵌合部を省き、スプロケット腹側に設けた傾斜付き弾力ブロック及び外縁凸ブロックに加え、該傾斜付き弾力ブロックと対称を成した傾斜付き凹型槽を具有する下外殻、並びに下側には同様に該外縁凸ブロックと対称を成した傾斜付きフックを具有する回転盤を合わせることにより、同様にしてボタンを設けなくとも前記信号及び又は電源ケーブルの引き出し及び回収をコントロールする機能を具有することを特徴とする請求項１記載の多機能コードリールの構造である。
請求項１５の考案は、前記コントロール部分において、前記スプロケットの体積を更に大きくすると同時にその形状を楕円状に変えることにより、前記弾力嵌合部の前後異動をコントロールし、同様にして該対称を成す回転盤と下外殻により、該回転盤の傾斜付き嵌合ブロックを該弾力嵌合部後退時に前記嵌合槽に嵌合することで、ボタンを設けなくとも前記信号及び又は電源ケーブルの引き出し及び回収をコントロールする機能を具有することを特徴とする請求項１記載の多機能コードリールの構造である。
【考案の効果】
【０００７】
本考案によると、ボタン無しでケーブルの出し入れができるほか、ＵＳＢポート，カードリーダ，電源延長コンセント，扇風機，ワイヤレスネットワークトランスフォーマ，ＬＡＮ ＨＵＢネットワーク集線器，ＡＤＳＬアクセスルータ，ネットワーク用ビデオカメラの電子製品の何れか、又は、これらの電子製品が組み合わされて一体化されたために便利であり、或いは、吸盤によってガラス板等に吸着させることができるようになり、従来のように集線のみの単純な機能とは違い、多くの機能を具有することで実用性を高めるという効果が得られる。
【考案を実施するための最良の形態】
【０００８】
本考案の好適な実施例を図面に沿って説明する。
図１，２に示すように、本考案の実施例の多機能コードリールの構造においては、主に上外殻１，嵌合蓋２，回転盤３，下外殻４，バネ５，信号又は電源ケーブル、或いは、信号又は電源ケーブルの組合せたケーブル（以下、「信号／電源ケーブル」）６，弾力嵌合部７とより構成され、ケーブルを巻く主な構造は、該下外殻４内に設けられ、その外囲上には該信号／電源ケーブル６を引き出す引出孔４６が設けられる。
【０００９】
図１，２，３及び図１２に示すように、該上外殻１上には対称を成したボルトホール１１が設けられており、内部には回路板１２が設けられており、該回路板１２外縁の外殻付近個所には数個のＵＳＢポート１３並びに電源入力端１４が設けられている。
図１３に示すように、該回路板１２上にはカードリーダ１５が設けられることで携帯に便利となり、且つパソコン等に連結して使用できるカードリーダとなる。
図６及び図１４に示すように、該回路板１２上には一般の直流或いは交流電源による電源コンセント１６を設け、信号／電源ケーブル６を平たい形状を呈した偏状電源ケーブル６Ａとし、末端はプラグ６１Ａが設けられているものとする。
図７に示すように、上外殻１を用いず該下外殻４上方に扇風機１７を設置し、該信号／電源ケーブル６の一端は該扇風機１７のモータと接続し、ＵＳＢシステムにより電源を供給してモータを駆動させるものとする。
また図８に示すように、該上外殻１を用いず該下外殻４上方にはワイヤレスネットワークトランスミッタ１８を設け、コンピュータ通信伝送設備とすることも可能である。  
或いは図９に示すように、該上外殻１を用いず該下外殻４上方にはネットワークビデオカメラ１９を設けてもよい。
若しくは図１０，１１に示すように、該上外殻１を用いず該下外殻４にもう一つの下外殻４Ａを合わせることで一つの外殻とし、且つ一本の該信号／電源ケーブル６を使用して、それぞれ異なる方向に独立して引き出したり収納することのできる双方向型のコードリールとしてもよい。
【００１０】
図１，２に示すように、回転盤３においては、中央個所に円形の凹型槽３１が設けられており、該凹型槽３１中央個所には更に貫通孔３２が設けられており、該凹型槽３１の外縁上には対称を成した一対のフック３３が設けられており、各該フック３３の片側にはそれぞれ傾斜付き嵌合ブロック３４が設けられており、該回転盤３の盤面には溝３５が設けられており、且つ該回転盤３上の対応する個所には螺旋付きホール３６が設けられている。
また該回転盤３の円形凹型槽３１内にはバネ５が設けられ、該凹型槽３１の背面の突出した部分の外囲には信号／電源ケーブル６が巻きつけられる。また、この信号や電源ケーブル６は単独でも組み合わせてあってもよい。
【００１１】
図１，２，３及び図１７に示すように、該下外殻４は上方内縁個所に嵌合凸縁４１が設けられており、該下外殻４内の中央個所には直立する柱体４２が設けられ、その片側には軸棒４３が設けられ、該柱体４２上にはスリット４４が開設されており、また該下外殻４内の底部上には更に凹型槽４５が開設されており、該下外殻４外囲上には更に該信号／電源ケーブル６を引き出す引出孔４６が設けられている。
【００１２】
図１７及び図１８に示すように、該下外殻４外縁中央個所には必要に応じて一組の嵌合棒４７を設け、該嵌合棒４７中心軸内にはボルトホール４８を設けることにより、ゴム吸盤や磁石吸盤に設けたボルト《前記の台湾特許092215445及び中国特許03209024.2及び（日本公開特許2000-67984,2003-271463,及びアメリカ特許10,658329及びドイツ特許20315331.6等の「Multi‐Function Hanging and Fastening Device」参照）》を該ボルトホール４８に螺合することにより、本考案をガラス板や金属板上に吸着させて使用できるようにする。
【００１３】
図１，２，３及び図１５，１６，１９，２０に示すように、本考案の該下外殻４内底部上に設けた凹型槽４５内には弾力嵌合部７が設置され、その片側上には更に嵌合槽７１が設けられ、該弾力嵌合部７上片側には更に楕円孔７２及び方形孔７３が設けられ、これらの上方には更にスプロケット７４が設けられるが、該スプロケット７４上には孔７５を具有し、該孔７５の下側には棒形凸ブロック７６が設けられている。
【００１４】
信号や電源ケーブル６はその一端が該回路板１２に接続され、もう一端には該上外殻上のＵＳＢポート１３に対応したＵＳＢプラグ６１が設けられており、本考案における実施例では該ＵＳＢポート１３及び該ＵＳＢプラグ６１はＰＳ２やＩＥＥＥ１３９４，ＲＪ４５などコンピュータや通信用の対応する連結ドックやコネクタなどとする。
【００１５】
上述の構造により、本考案を組み立てる際には先ず弾力嵌合部７を該下外殻４の凹型槽４５内に設置し、該スプロケット７４をその孔７５によって該軸棒４３上に穿設し、信号や電源ケーブル６を該回転盤３の円形凹型槽３１背面の突出部分外囲に巻きつける。該信号／電源ケーブル６の一端は該下外殻４の引出孔４６より引き出され（末端にはＵＳＢなどのプラグ６１を具有する）、またもう一端は該回転盤３の溝３５を穿設して該上外殻１の回路板１２に連結される。
【００１６】
該信号や電源ケーブル６が巻きつけられてバネ５が固定された該回転盤３は、その円形凹型槽３１中央に設けられた貫通孔３２を該下外殻４中央の直立柱体４２に穿設し、該回転盤３が該下外殻４の嵌合凸縁４１内にて嵌合及び定位され、該回転盤３が該下外殻４上にて連結されると同時に、両者間の関係は回転できる状態にある。
また、ボルト１６が該上外殻１のボルトホール１１から該回転盤３の螺旋付きホール３６に螺設され、該上外殻１と該嵌合蓋２と該回転盤３とを一体にする。
【００１７】
図１，２，３、並びに図１５，１６，１９，２０に示すように、本考案の実施例には該信号や電源ケーブル６を引き出したり収納したりするためのボタンを設ける必要がなく、特に、図１９，２０に示すように使用者が初めに該信号／電源ケーブル６を引っ張ると該回転盤３が回転し、該フック３３が該弾力嵌合部７を回転させ、これが停止すると該スプロケット７４の棒形凸ブロック７６が水平状態となり（水平状態でないときは更に軽く引っ張る）、該弾力嵌合部７をバックさせる（前進と後退は該楕円孔７２から該直立柱体４２間にて移動）。こうして該回転盤３の円形凹槽３１の傾斜付き嵌合ブロック３４断面が該弾力嵌合部７片側の嵌合槽７１を止めて該回転盤３を回転できない状態にし、該回転盤３が止まって動かなくなると、該信号／電源ケーブル６が止まって巻き戻されることもない。
使用者が更に該信号や電源ケーブル６を軽く引っ張ると、該スプロケットが90度回転し、該棒型凸ブロック７６が直立状態になると同時に至端が方形孔７３前方にて止まり、該弾力嵌合部７を前進させて該弾力嵌合部７の嵌合槽７１が該回転盤３の傾斜付き嵌合ブロック３４による制限を受けず、該回転盤３は該バネ５の張力によって該信号／電源ケーブル６をケース内部に収める。
また図１１に示すように、本考案の実施例における平たい形状の信号／電源ケーブル６或いは偏状電源ケーブル６Ａ上には、必要に応じて目盛６２を設けてもよく、こうすることで使用上の便利性を更に高める。
【００１８】
図２１から図２７に示すように、本考案の実施例のコントロール部分におけるもう一つの実施例として、上述の弾力嵌合部７を省き、スプロケット７４Ａをその腹側に設けた傾斜付き弾力ブロック７４１と外縁凸ブロック７４２により、該傾斜付き弾力ブロック７４１と対称を成す傾斜付き凹型槽４５Ａを設けた下外殻４Ａ及び下側に同様にして該外縁凸ブロック７４２と対称を成す傾斜付きフック３３Ａを設けた回転盤３Ａを合わせることにより、上述同様の効果が得られ、ボタンを設けずとも該信号／電源ケーブル６を引っ張り出したり回収したりすることのできる目的が達成される。
【００１９】
図２８から図３４に示すように、本考案の実施例のコントロール部分において、更にもう一つの実施例を挙げると、該スプロケット７４を体積の更に大きなものに替え、形状を楕円状にした楕円スプロケット７４Ｂとすることでも、該弾力嵌合部７の前後移動をコントロールすることができる。対称を成した該回転盤３Ｂと該下外殻４Ｂにより、該回転盤３Ｂの傾斜付き嵌合ブロック３４Ｂが該弾力嵌合部７後退時に該嵌合槽７１を嵌合するため、上述同様にして該信号／電源ケーブル６を引っ張る際、ボタン無しで引っ張ったり回収したりする機能を達成する。
【図面の簡単な説明】
【００２０】
【図１】本考案全体における立体分解図である。
【図２】本考案全体における分解断面図である。
【図３】本考案全体における組み立て後の断面図である。
【図４】本考案全体における第一実施例であり、ＵＳＢポートを設けた様子を示す立体図である。
【図５】本考案全体における第二実施例であり、カードリーダ（１）を設けた様子を示す立体図である。
【図６】本考案全体における第三実施例であり、カードリーダ（２）を設けた様子を示す立体図である。
【図７】本考案全体における第四実施例であり、一般の電源延長コンセントを設けた様子を示す立体図である。
【図８】本考案全体における第五実施例であり、ネットワークトランスミッタを設けた様子を示す立体図である。
【図９】本考案全体における第六実施例であり、ネットワーク用のビデオカメラを設けた様子を示す立体図である。
【図１０】本考案全体における第七実施例であり、二つのコードリールを設けた様子を示す立体図である。
【図１１】本考案における平たい信号／電源ケーブルや電源ケーブルに、長さを測るべく目盛を設けた様子を示す立体図である。
【図１２】図４における平面図である。
【図１３】図５における平面図である。
【図１４】図６における平面図である。
【図１５】本考案における弾力嵌合部の立体図である。
【図１６】本考案におけるスプロケット背面を示す図である。
【図１７】本考案における下外殻断面図である。
【図１８】本考案における下外殻に嵌合棒を設けた様子を示す断面図である。
【図１９】本考案における弾力嵌合部とスプロケットの動作を説明する図（１）である。
【図２０】本考案における弾力嵌合部とスプロケットの動作を説明する図（２）である。
【図２１】本考案の下外殻における第二実施例を示す俯瞰図である。
【図２２】図２１の断面図である。
【図２３】本考案の回転盤における第二実施例を示す俯瞰図である。
【図２４】図２３の断面図である。
【図２５】本考案のスプロケットにおける第二実施例を示す俯瞰図である。
【図２６】図２５の断面図である。
【図２７】図２１の下外殻と図２３の回転盤を組み合わせた様子を示す図である。
【図２８】本考案の下外殻における第三実施例を示す俯瞰図である。
【図２９】図２８の断面図である。
【図３０】本考案の回転盤における第三実施例を示す俯瞰図である。
【図３１】図３０の断面図である。
【図３２】本考案の弾力嵌合部とスプロケットにおける第二実施例を示す俯瞰図である。
【図３３】図３２の断面図である。
【図３４】図２８の下外殻と図３０の回転盤と図３２の弾力嵌合部及びスプロケットを組み立てた様子を示す図である。
【符号の説明】
【００２１】
１      上外殻
１１    ボルトホール
１２    回路板
１３    ＵＳＢポート
１４    電源入力端
１５    カードリーダ
１６    電源コンセント
１７    扇風機  
１８    ワイヤレスネットワークトランスミッタ
１９    ネットワークビデオカメラ
２      嵌合蓋
３，３Ａ，３Ｂ  回転盤
３１    円形の凹型槽
３２    貫通孔
３３    フック
３３Ａ  傾斜付きフック
３４，３４Ｂ  傾斜付き嵌合ブロック
３５    溝
３６    螺旋付きホール
４，４Ａ，４Ｂ  下外殻      
４１    嵌合凸縁
４２    直立柱体
４３    軸棒
４４    スリット
４５    凹型槽
４５Ａ  傾斜付き凹型槽
４６    引出孔
４７    嵌合棒
４８    ボルトホール
５      バネ
６      信号／電源ケーブル
６Ａ    偏状電源ケーブル
６１    ＵＳＢプラグ
６１Ａ  プラグ
６２    目盛
７      弾力嵌合部
７１    嵌合槽
７２    楕円孔
７３    方形孔
７４，７４Ａ  スプロケット
７４Ｂ  楕円スプロケット
７４１  傾斜付き弾力ブロック
７４２  外縁凸ブロック
７５    孔
７６    棒形凸ブロック
【図１】
0003103040.tif 000003
【図２】
0003103040.tif 000004
【図３】
0003103040.tif 000005
【図４】
0003103040.tif 000006
【図５】
0003103040.tif 000007
【図６】
0003103040.tif 000008
【図７】
0003103040.tif 000009
【図８】
0003103040.tif 000010
【図９】
0003103040.tif 000011
【図１０】
0003103040.tif 000012
【図１１】
0003103040.tif 000013
【図１２】
0003103040.tif 000014
【図１３】
0003103040.tif 000015
【図１４】
0003103040.tif 000016
【図１５】
0003103040.tif 000017
【図１６】
0003103040.tif 000018
【図１７】
0003103040.tif 000019
【図１８】
0003103040.tif 000020
【図１９】
0003103040.tif 000021
【図２０】
0003103040.tif 000022
【図２１】
0003103040.tif 000023
【図２２】
0003103040.tif 000024
【図２３】
0003103040.tif 000025
【図２４】
0003103040.tif 000026
【図２５】
0003103040.tif 000027
【図２６】
0003103040.tif 000028
【図２７】
0003103040.tif 000029
【図２８】
0003103040.tif 000030
【図２９】
0003103040.tif 000031
【図３０】
0003103040.tif 000032
【図３１】
0003103040.tif 000033
【図３２】
0003103040.tif 000034
【図３３】
0003103040.tif 000035
【図３４】
0003103040.tif 000036